(57)【要約】【課題】本発明は、別途ラベルを事前に準備することなく、すぐに任意の項目を記載することが可能であり、耐水性を有するラベルを備えた電気泳動用電気泳動用ゲルカセットを提供することを課題とする。【解決手段】電気泳動用ゲルカセットの表面であって該電気泳動用ゲルカセット中の電気泳動ゲルの表面を覆わない領域、および／または、該電気泳動用ゲルカセットの側面にラベルを設置することを特徴とするラベル付電気泳動用ゲルカセットを提供する。また、前記ラベルが紙素材から構成されていることを特徴とするラベル付電気泳動用ゲルカセットを提供する。また、前記ラベルがフィルム素材から構成されていることを特徴とするラベル付電気泳動用ゲルカセットを提供する。さらに、前記ラベルがラミネートされていることを特徴とするラベル付電気泳動用ゲルカセットを提供する。【選択図】図１
2012007892.tif 000002
【特許請求の範囲】
【請求項１】
電気泳動用ゲルカセットの表面であって該電気泳動用ゲルカセット中の電気泳動ゲルの表面を覆わない領域、および／または、該電気泳動用ゲルカセットの側面にラベルを設置することを特徴とするラベル付電気泳動用ゲルカセット。
【請求項２】
前記ラベルが紙素材から構成されていることを特徴とする請求項１に記載のラベル付電気泳動用ゲルカセット。
【請求項３】
前記ラベルがフィルム素材から構成されていることを特徴とする請求項１に記載のラベル付電気泳動用ゲルカセット。
【請求項４】
前記ラベルがラミネートされていることを特徴とする請求項１から３のいずれかに記載のラベル付電気泳動用ゲルカセット。
【請求項５】
前記ラベル上に保護シールを設置することを特徴とする請求項１から４のいずれかに記載のラベル付電気泳動用ゲルカセット。
【請求項６】
前記ラベルと該電気泳動用ゲルカセットを構成するゲルカセット基材の領域との間に、剥離層を設けることを特徴とする請求項１〜５のいずれかに記載のラベル付電気泳動用ゲルカセット。
【請求項７】
前記ラベルが蛍光色素を含有していることを特徴とする請求項１〜６のいずれかに記載のラベル付電気泳動用ゲルカセット。
【発明の詳細な説明】
【技術分野】
【０００１】
本発明は、ラベル付電気泳動用ゲルカセットに関するものである。
【背景技術】
【０００２】
動植物の組織や細胞から抽出されたＤＮＡ、ＲＮＡ、タンパク質等の生体高分子をサイズ、性状等の違いに基づいて電気泳動ゲル中に分離する電気泳動技術は、ライフサイエンス分野において非常に重要な技術である。特にタンパク質を電気泳動によって分離する場合、タンパク質の分子量の違いに基づくＳＤＳ−ポリアクリルアミドゲル電気泳動法および等電点の違いに基づく等電点電気泳動法を組み合わせた二次元電気泳動法が広く用いられている（特許文献１参照）。
【０００３】
二次元電気泳動法は、上述のようにタンパク質を荷電ならびに分子量に基づいて分離することが可能であるため、分子量のみの分離方法であるＳＤＳ−ポリアクリルアミドゲル電気泳動法では難しい、同一の分子量で、且つ、等電点の異なるタンパク質の発現差異を比較することも可能である。そのため、ＳＤＳ−ポリアクリルアミドゲル電気泳動法よりも多くの情報を得ることが出来るため、プロテオミクス研究において有用である。例えば、健常者と疾患患者のある組織のタンパク質の発現比較を行い、その差異を検出することにより、病理診断への応用が可能になる。そのような研究は広く行われており、将来的には、基礎研究の用途にとどまらず、臨床の場でも利用されることも期待されている。
【先行技術文献】
【特許文献】
【０００４】
【特許文献１】特開２００７−６４８４８号公報
【発明の概要】
【発明が解決しようとする課題】
【０００５】
上述の二次元電気泳動法によってタンパク質の発現量を調べる場合には、実験条件にもよるが、試料間の差異を比較するために電気泳動を複数回実施する必要がある。その際、各電気泳動ゲルに供した試料やその量、日付などの情報を管理する必要があるが、一度に実施するために、用いる電気泳動用ゲルカセットの数が多くなる場合には、電気泳動用ゲルカセットに数字などの目印、あるいは必要な要件を記載して、個々の電気泳動用ゲルカセットを識別する必要がある。
【０００６】
しかし、電気泳動用ゲルカセットの形状あるいは材質によっては、油性ペン等で記入しにくい場合がある。例えば、ガラス材質の電気泳動用ゲルカセットの場合、記載された文字の部分が人肌や物などに接触した際に、文字がかすれる、あるいは消えてしまう場合がある。また、プラスチック製の電気泳動用ゲルカセットの場合についても前述の可能性があるだけでなく、ゲルカセット表面の形状が必ずしも平坦ではなく、記載可能な領域が制限される恐れがある。そのため、電気泳動用ゲルカセットに何らかの項目を記載する際には、予め記入用のラベルを準備する必要が生じうる。
【０００７】
加えて、現在、電気泳動用支持体であるポリアクリルアミドゲルを充填した電気泳動用ゲルカセットが市販されており、プレキャストゲルカセットと呼称される。このプレキャストゲルカセットは乾燥防止及び所定期間の保存性の確保のために、保存液と呼ばれる液体に浸漬された状態でパッケージングされたものが提供されている。よって、使用時に取り出した電気泳動用ゲルカセットに油性ペン等で文字を記載する際には、電気泳動用ゲルカセット表面に付着した保存液をよく拭き取らなければならない。なおかつ、電気泳動を実施する際にゲルが発熱することから、発熱による電気泳動への悪影響を防止するために、電気泳動用ゲルカセットを電気泳動バッファーに浸漬させる形態の電気泳動装置が主流を占めているため、電気泳動用ゲルカセットに記載された文字が、電気泳動バッファーにさらされることによってかすれる、あるいは消えてしまう可能性が高い。
【０００８】
本発明は、上記の問題点に鑑みてなされたものであり、別途ラベルを事前に準備することなく、すぐに任意の項目を記載することが可能であり、耐水性を有するラベルを備えた電気泳動用電気泳動用ゲルカセットを提供することにある。
【課題を解決するための手段】
【０００９】
上記の課題を解決するための手段として、請求項１に記載の発明は、電気泳動用ゲルカセットの表面であって該電気泳動用ゲルカセット中の電気泳動ゲルの表面を覆わない領域、および／または、該電気泳動用ゲルカセットの側面にラベルを設置することを特徴とするラベル付電気泳動用ゲルカセットである。
【００１０】
また、請求項２に記載の発明は、前記ラベルが紙素材から構成されていることを特徴とする請求項１に記載のラベル付電気泳動用ゲルカセットである。
【００１１】
また、請求項３に記載の発明は、前記ラベルがフィルム素材から構成されていることを特徴とする請求項１に記載のラベル付電気泳動用ゲルカセットである。
【００１２】
また、請求項４に記載の発明は、前記ラベルがラミネートされていることを特徴とする請求項１から３のいずれかに記載のラベル付電気泳動用ゲルカセットである。
【００１３】
また、請求項５に記載の発明は、前記ラベル上に保護シールを設置することを特徴とする請求項１から４のいずれかに記載のラベル付電気泳動用ゲルカセットである。
【００１４】
また、請求項６に記載の発明は、前記ラベルと該電気泳動用ゲルカセットを構成するゲルカセット基材の領域との間に、剥離層を設けることを特徴とする請求項１〜５のいずれかに記載のラベル付電気泳動用ゲルカセットである。
【００１５】
また、請求項７に記載の発明は、前記ラベルが蛍光色素を含有していることを特徴とする請求項１〜６のいずれかに記載のラベル付電気泳動用ゲルカセットである。
【発明の効果】
【００１６】
本発明のラベル付電気泳動用ゲルカセットは、ラベルに使用者が必要とする項目を記載することが可能である。また、項目の書き換えが自由であり、保護シールによりラベル面を保護することが可能となる。従って、別途シールなどの項目を記載するためのものを予め準備する必要がなく、また、記載した情報を損失することがなく、使用者が記載すべき項目を、実験中にすぐに書き留めることが可能となる。また、本発明のラベル付電気泳動用ゲルカセットを用いることにより、特に電気泳動を多数実施した際に、各々の情報を各ラベル付電気泳動用ゲルカセットのラベルに記載することで、電気泳動ゲルの管理、識別を容易にすることが可能になる。
【図面の簡単な説明】
【００１７】
【図１】本発明のラベル付電気泳動用ゲルカセットの一例を示す概略図である。
【図２】本発明の電気泳動槽一体型のラベル付電気泳動用ゲルカセットの一例を示す概略図である。
【図３】本発明のラベル付電気泳動用ゲルカセットに設置するラベルの一実施態様を示す図である。
【図４】本発明のラベル付電気泳動用ゲルカセットの一実施態様を示す図である。
【図５】本発明のラベル付電気泳動用ゲルカセットに設置するラベルの一実施態様を示す図である。
【図６】本発明のラベル付電気泳動用ゲルカセットの一実施態様を示す図である。
【発明を実施するための形態】
【００１８】
以下、本発明のラベル付電気泳動用ゲルカセットについて説明する。本発明のラベル付電気泳動用ゲルカセットの形状や基材の材質等は、後述する電気泳動用ゲルカセットに限るものではなく、適宜選択できるものである。
【００１９】
図１は本発明のラベル付電気泳動用ゲルカセットの一例を示す概略図であり、ラベル付電気泳動用ゲルカセットを真上からみた概略を示している。図１の電気泳動用ゲルカセット１は、２枚のゲルカセット基材の間に電気泳動ゲル１ａを充填した構成となっている。
【００２０】
図１の電気泳動ゲル１ａを充填した電気泳動用ゲルカセット１において、電気泳動ゲル１ａの表面を覆わない領域、即ち、図１中のラベル２のように電気泳動用ゲルカセット１表面の上端部、あるいは、ゲルカセット基材の領域１ｂのような、電気泳動用ゲルカセット１表面であって電気泳動ゲル１ａの存在しない箇所にラベルを設置するのが望ましい。
【００２１】
また本発明は、図２に示すように電気泳動槽３ｃと一体化した電気泳動用ゲルカセット３を用いてもよい。図２は、電気泳動用ゲルカセット３を真上からみた概略と、側面の概略を示している。図２の電気泳動槽一体型の電気泳動用ゲルカセット３も、図１の電気泳動用ゲルカセット１と同様に、２枚のゲルカセット基材の間に電気泳動用ゲル３ａが挟持された構成となっている。
【００２２】
図２の電気泳動槽一体型の電気泳動用ゲルカセット３において、電気泳動ゲル３ａの表面を覆わない領域、即ち、図２中のラベル２のように電気泳動用ゲルカセット３の側面３ｄ、あるいは、ゲルカセット基材の領域３ｂのような、電気泳動用ゲルカセット３表面であって電気泳動ゲル３ａの存在しない箇所にラベルを設置するのが望ましい。電気泳動用ゲルカセット３の側面３ｄにラベルを設置する場合、２枚のゲルカセット基材のどちらか一方に設置してもよく、また２枚のゲルカセット基材の両方に設置してもよい。図２では、４箇所の側面３ｄにラベル２をそれぞれ設置しており、全てのラベルを２枚のゲルカセット基材のうちの一方に設置している例を示している。
【００２３】
図１、図２に示すようなラベル付電気泳動用カセットを用いて、例えば蛍光色素で標識された試料の電気泳動を実施し、その後、そのラベル付電気泳動用カセットのまま検出装置にかけて試料を検出する場合に、設置したラベルは電気泳動ゲル１ａ、３ａ上に展開された試料の検出を何ら妨害しない。
【００２４】
（ラベル）
次に、本発明に使用するラベルについて説明する。
本発明のラベル付電気泳動用ゲルカセットに設置するラベルは、公知の紙素材またはポリプロピレン、ポリ塩化ビニル、ポリエステルなどの公知のフィルム素材から適宜選択し、構成する。
【００２５】
紙素材より構成する場合には、耐久性、耐候性や耐水性を備えるために、ポロプロピレン、ポリエチレンテレフタレート、ポリエステル等でラミネートすることが好ましい。ラミネートすることにより、紙素材表面の耐摩耗性も向上する。
【００２６】
フィルム素材より構成する場合には、フィルム素材自体が耐久性や耐水性を備えている。また、前記の紙素材と同様にラミネートしてもよく、ラミネートすることによりフィルム素材表面の耐摩耗性や耐久性も向上する。
【００２７】
また、電気泳動用ゲルカセットへのラベルの設置は接着により行うため、ラベルに粘着層を設ける。粘着層は公知の一般粘粘または強粘の材質のものから適宜選択できるが、市販のプレキャストゲルカセットは４℃の環境下で保存されるため、低温下で粘着力が低下してしまわないよう、低温耐性を備えているものがより好ましい。
【００２８】
（電気泳動用ゲルカセット）
次に、本発明に使用する電気泳動用ゲルカセットについて説明する。
本発明のラベル付電気泳動用ゲルカセットに使用する電気泳動用ゲルカセットの基材の材質としては、公知のガラス、アクリル、スチレン共重合体など適宜選択することができ、特に限定されない。また電気泳動用ゲルカセットの形状としては、上述の図１に示すような一般に知られる電気泳動用ゲルカセットにのみならず、図２に示した電気泳動槽を備える電気泳動用ゲルカセットを用いることもできる。また、図１、図２に示した形状に限るものではなく、適宜選択できるものである。
【００２９】
次に、本発明のラベル付電気泳動用ゲルカセットの実施態様について説明する。本発明は、後述する実施態様に限定されるものではなく、請求項に示した範囲内で種々の変更が可能である。すなわち、請求項に示した範囲で適宜変更した技術的手段を組み合わせて得られる実施態様についても本発明の技術的範囲に含まれるものである。
【００３０】
（実施態様１）
本発明のラベル付電気泳動用ゲルカセットの一実施態様として、電気泳動用ゲルカセットに設置するラベルに着目し説明する。ラベルの一実施態様を図３に示す。
図３（１）に示すように、本発明のラベル付電気泳動用ゲルカセットに設置するラベル２の表面を保護シール４で覆ってもよい。保護シール４は、支持部４ａにおいてラベル２と接合しており、取っ手４ｂを持ち上げることにより、ラベル２との着脱を容易に可能とする。保護シール４をラベル２上に設置することにより、水などの溶媒、あるいは、人肌や物に接触することによって、ラベル２に記載した文字がかすれる、あるいは消去されてしまうことを防止し、記載された項目を保護することが可能となる。
【００３１】
図３（１）に示した、ラベルを保護するための保護シール４は、ラベル２に接する面の全体に粘着層を有し、項目を記載したラベルを覆い、接着することにより、ラベル２表面を保護する。
また、図３（２）に示すように、ラベル２の表面を保護シール５で覆ってもよい。保護シール５は、ラベル２より一回り大きく、ラベル２に接する面には粘着層がなく、ラベル２の周囲に位置する領域に粘着層４ｃを有する。そのため、保護シール５をラベル２上に接着した後に貼り直す必要が生じた際に、ラベル２に記載された項目を損じることがない。
【００３２】
（実施態様２）
本発明のラベル付電気泳動用ゲルカセットの一実施態様を図４に示す。
図４に示すように、電気泳動用カセット１に設置するラベル２は、着脱可能であってもよい。例えば、電気泳動後に展開された試料を検出した後に、電気泳動用ゲルカセット１より剥がしたラベル２を、実験ノート等に貼り付けることにより、実験データの取りまとめ作業を容易にすることが可能となる。
【００３３】
（実施態様３）
本発明のラベル付電気泳動用ゲルカセットの一実施態様として、電気泳動用ゲルカセットに設置するラベルに着目し説明する。ラベルの一実施態様を図５に示す。
図５（１）に示したラベルは、ラベル６のみを電気泳動用ゲルカセットのゲルカセット基材の領域１ｂに設置した場合を示しているが、図５（２）に示すように、ゲルカセット基材の領域１ｂとラベル６との間に、剥離層６ａを設けてもよく、剥離層６ａを設けることにより、カセット基材の領域１ｂからのラベル６の取り外しを容易にすることが可能となる。さらには、図５（３）に示すように、図４で示したような保護シール４または保護シール５を設置する形態としてもよい。保護シール４または保護シール５を設置することにより、ラベル６の保護に有効である。
【００３４】
（実施態様4）
本発明のラベル付電気泳動用ゲルカセットの一実施態様を図６に示す。
図６の電気泳動用ゲルカセット１に設置しているラベル７には、蛍光色素を含有させている。蛍光標識された試料を用いて電気泳動を実施し、終了後にゲルカセットごと蛍光検出することにより、蛍光標識された試料の検出はもちろん、ラベル７も検出されると同時に、ラベル７上に記載した文字の部分は蛍光が隠されるために、その文字を反転した状態で表出させることが可能である。よって、画像取得時には電気泳動像にのみならず、ラベル７に記載した項目、例えば日付や試料名なども同時に取り込むことが可能となるため、データの管理やまとめが容易になる。
【００３５】
このように、本発明のラベル付電気泳動用ゲルカセットでは、ラベルに使用者が必要とする項目を記載することが可能である。また、項目の書き換えが自由であり、保護シールによりラベル面を保護することが可能となる。従って、別途シールなどの項目を記載するためのものを予め準備する必要がなく、また、記載した情報を損失することがなく、使用者が記載すべき項目を、実験中にすぐに書き留めることが可能となる。
【００３６】
本発明のラベル付電気泳動用ゲルカセットを用いることにより、特に電気泳動を多数実施した際に、各々の情報を各ラベル付電気泳動用ゲルカセットのラベルに記載することで、電気泳動ゲルの管理、識別を容易にすることが可能になる。さらに、ＤＮＡ、ＲＮＡ、タンパク質等の生体高分子の研究をより発展させることによって、特に医学、生物学、化学分野の産業の発展に貢献し得る。
【符号の説明】
【００３７】
１・・・電気泳動用ゲルカセット
１ａ・・電気泳動ゲル
１ｂ・・カセット基材の領域
２・・・ラベル
３・・・電気泳動用ゲルカセット
３ａ・・電気泳動ゲル
３ｂ・・ゲルカセット基材の領域
３ｃ・・電気泳動槽
３ｄ・・（電気泳動用ゲルカセットの）側面
４・・・保護シール
４ａ・・支持部
４ｂ・・取っ手
４ｃ・・粘着層
５・・・保護シール
６・・・ラベル
６ａ・・剥離層
７・・・（蛍光色素含有）ラベル
【図１】
2012007892.tif 000003
【図２】
2012007892.tif 000004
【図３】
2012007892.tif 000005
【図４】
2012007892.tif 000006
【図５】
2012007892.tif 000007
【図６】
2012007892.tif 000008